(57)【要約】【課題】プラズマディスプレイパネルを提供する。【解決手段】互いに対向するように配された複数の基板と、基板上に配され、所定の電圧が印加される複数の放電電極と、放電電極を埋め込む誘電体層と、放電電極の端子と電気的に接続されたリード端子を有する信号伝達部と、を備え、複数の放電電極は、異なる平面上に配され、リード端子は、放電電極の端子と電気的に接続されるように対応して配されたプラズマディスプレイパネルである。これにより、放電電極間の間隔を広げることができ、隣接した放電電極間のショートを未然に防止できる。【選択図】図２
2009021210.tif 000002
【特許請求の範囲】
【請求項１】
基板と、
前記基板上に配され、所定の電圧が印加される複数の放電電極と、
前記放電電極を埋め込む誘電体層と、を備え、
前記複数の放電電極は、異なる平面上に配されたことを特徴とするプラズマディスプレイパネル。
【請求項２】
前記複数の放電電極は、複数の誘電体層により複層構造に分離されていることを特徴とする請求項１に記載のプラズマディスプレイパネル。
【請求項３】
前記放電電極は、第１誘電体層に埋め込まれた第１放電電極と、第２誘電体層に埋め込まれた第２放電電極と、を備えることを特徴とする請求項２に記載のプラズマディスプレイパネル。
【請求項４】
前記第１放電電極は、前記基板の表面と前記第１誘電体層との間に配され、前記第２放電電極は、前記第１誘電体層と前記第２誘電体層との間に配されたことを特徴とする請求項３に記載のプラズマディスプレイパネル。
【請求項５】
前記第１放電電極は、奇数列に配され、前記第２放電電極は、偶数列に配されたことを特徴とする請求項３に記載のプラズマディスプレイパネル。
【請求項６】
前記第１放電電極の長さは、前記第２放電電極の長さより相対的に長く形成されたことを特徴とする請求項３に記載のプラズマディスプレイパネル。
【請求項７】
第１誘電体層の全体幅は、前記第２誘電体層の全体幅より相対的に広く形成されたことを特徴とする請求項３に記載のプラズマディスプレイパネル。
【請求項８】
互いに対向するように配された複数の基板と、
前記基板上に配され、所定の電圧が印加される複数の放電電極と、
前記放電電極を埋め込む誘電体層と、
前記放電電極の端子と電気的に接続されたリード端子を有する信号伝達部と、を備え、
前記複数の放電電極は、異なる平面上に配され、前記リード端子は、前記放電電極の端子と電気的に接続されるように対応して配されたことを特徴とするプラズマディスプレイパネル。
【請求項９】
前記複数の放電電極は、複数の誘電体層により複層構造に分離され、前記リード端子は、分離された放電電極の端子と対応する位置にそれぞれ配されたことを特徴とする請求項８に記載のプラズマディスプレイパネル。
【請求項１０】
前記放電電極は、第１誘電体層に埋め込まれた第１放電電極と、第２誘電体層に埋め込まれた第２放電電極と、を備えることを特徴とする請求項９に記載のプラズマディスプレイパネル。
【請求項１１】
前記第１放電電極は、前記基板の表面と前記第１誘電体層との間に配され、前記第２放電電極は、前記第１誘電体層と前記第２誘電体層との間に配されたことを特徴とする請求項１０に記載のプラズマディスプレイパネル。
【請求項１２】
前記第１放電電極は、奇数列に配され、前記第２放電電極は、偶数列に配されたことを特徴とする請求項１０に記載のプラズマディスプレイパネル。
【請求項１３】
前記第１放電電極の長さは、前記第２放電電極の長さより相対的に長く形成されたことを特徴とする請求項１０に記載のプラズマディスプレイパネル。
【請求項１４】
前記信号伝達部は、柔軟性を有するフィルム内にリードが埋め込まれ、前記リード端子は、前記放電電極と対応するフィルムの領域で外部に露出されるように形成されたことを特徴とする請求項１０に記載のプラズマディスプレイパネル。
【請求項１５】
前記リード端子は、前記第１放電電極の端子と接続される第１リード端子と、前記第１リード端子と異なる位置にあって、前記第２放電電極の端子と接続される第２リード端子と、
を備え、
前記第１リード端子及び前記第２リード端子は、前記フィルムの先端部から離隔される位置を異ならせることによって、前記第１放電電極の端子と前記第２放電電極の端子とが接続されたことを特徴とする請求項１４に記載のプラズマディスプレイパネル。
【発明の詳細な説明】
【技術分野】
【０００１】
本発明は、プラズマディスプレイパネルに係り、特に放電電極と信号伝達部との接続時に短絡を防止できるプラズマディスプレイパネルに関する。
【背景技術】
【０００２】
プラズマディスプレイパネルは、複数の放電電極が配された対向する基板間の密閉された内部空間内に放電ガスを注入して放電させ、これから発生する紫外線により蛍光体層を励起させて、所望の数字、文字またはイメージを具現する平板ディスプレイ装置である。
【０００３】
図１は、従来の放電電極と信号伝達部とが配された状態を示す平面図である。
図１に示すように、基板１０１上には、放電電極１０２が複数個配されている。前記放電電極１０２は、同じ間隔を維持しつつ配されている。前記放電電極１０２は、誘電体層１０３に埋め込まれている。このとき、前記放電電極１０２の端子１０２ａは、誘電体層１０３に覆われていない。
【０００４】
前記放電電極１０２の端子１０２ａは、信号伝達部１０４と結合されている。すなわち、前記信号伝達部１０４は、リールツーリール型のフィルム１０５上に連続的に形成されており、パンチング工程を通じて個別的な素子に分離される。分離された後、信号伝達部１０４の端子１０６は、放電電極１０２の端子１０２ａと電気的に接続される。
【０００５】
しかし、従来の放電電極と信号伝達部との結合は、次のような問題点を有している。
前記放電電極１０２と誘電体層１０３とは、１回の印刷及び１回の焼成工程を経ており、前記放電電極１０２の端子１０２ａのそれぞれは、前記基板１０１上で同じ平面上に配されている。
したがって、パネルがフルＨＤ級で製造される場合、前記放電電極１０２は、端子１０２ａ間の線幅が狭くなり、前記放電電極１０２をなす主成分、例えば銀（Ａｇ）が空気中に含有された水分によりイオン化されて、隣接した放電電極１０２間のショートを誘発する。
【発明の開示】
【発明が解決しようとする課題】
【０００６】
本発明の目的は、前記のような問題点を解決するためのものであって、複数の放電電極を異なる平面上に配し、それを信号伝達部と電気的に接続させて放電電極間の短絡を防止できるプラズマディスプレイパネルを提供するところにある。
【課題を解決するための手段】
【０００７】
前記目的を達成するために、本発明の一側面によるプラズマディスプレイパネルは、基板と、前記基板上に配され、所定の電圧が印加される複数の放電電極と、前記放電電極を埋め込む誘電体層と、を備え、前記複数の放電電極は、異なる平面上に配されたことを特徴とする。
【０００８】
また、前記複数の放電電極は、複数の誘電体層により複層構造に分離されていることを特徴とする。
さらに、前記放電電極は、第１誘電体層に埋め込まれた第１放電電極と、第２誘電体層に埋め込まれた第２放電電極と、を備える。
【０００９】
また、前記第１放電電極は、基板の表面と第１誘電体層との間に配され、前記第２放電電極は、前記第１誘電体層と第２誘電体層との間に配されたことを特徴とする。
さらに、前記第１放電電極は、奇数列に配され、前記第２放電電極は、偶数列に配されたことを特徴とする。
また、前記第１放電電極の長さは、前記第２放電電極の長さより相対的に長く形成されたことを特徴とする。
【００１０】
本発明の他の側面によるプラズマディスプレイパネルは、互いに対向するように配された複数の基板と、前記基板上に配され、所定の電圧が印加される複数の放電電極と、前記放電電極を埋め込む誘電体層と、前記放電電極の端子と電気的に接続されたリード端子を有する信号伝達部と、を備え、前記複数の放電電極は、異なる平面上に配され、前記リード端子は、前記放電電極の端子と電気的に接続されるように対応して配されたことを特徴とする。
【００１１】
また、前記複数の放電電極は、複数の誘電体層により複層構造に分離され、前記リード端子は、分離された放電電極の端子と対応する位置にそれぞれ配されたことを特徴とする。
さらに、前記信号伝達部は、柔軟性を有するフィルム内にリードが埋め込まれ、前記リード端子は、前記放電電極と対応するフィルムの領域で外部に露出されるように形成されたことを特徴とする。
【００１２】
また、前記リード端子は、前記第１放電電極の端子と接続される第１リード端子と、前記第１リード端子と異なる位置にあって、前記第２放電電極の端子と接続される第２リード端子と、を備え、前記第１リード端子及び第２リード端子は、前記フィルムの先端部から離隔される位置を異ならせることによって、前記第１放電電極の端子と第２放電電極の端子とが接続されたことを特徴とする。
【発明の効果】
【００１３】
本発明のプラズマディスプレイパネルは、異なる平面上に配された放電電極の端子を信号伝達部のリード端子と連結させることによって、放電電極間の間隔を広げることができる。したがって、隣接した放電電極間のショートを未然に防止できる。また、ディスプレイ装置の大型化によって、放電電極の縦線不良を防止するための電極端子間の間隔を確保する。
【発明を実施するための最良の形態】
【００１４】
以下、添付された図面を参照しつつ、本発明の一実施形態によるプラズマディスプレイパネルを詳細に説明する。
図２は、本発明の一実施形態による３電極面放電型プラズマディスプレイパネル２００の分離斜視図である。
【００１５】
図２に示すように、前記プラズマディスプレイパネル２００は、第１基板２０１と、前記第１基板２０１と平行に配された第２基板２０２と、を備えている。前記第１基板２０１及び第２基板２０２は、密閉された放電空間を形成するために対向する内面のエッジに沿ってフリットガラス（図示せず）が塗布されている。
【００１６】
前記第１基板２０１は、ソーダライムガラスのような透明な基板、半透過性基板、反射性基板や着色された基板などを使用できる。
前記第１基板２０１の内面には、維持放電電極対２０３が配されている。前記維持放電電極対２０３は、Ｘ電極２０４及びＹ電極２０５を備え、前記Ｘ電極２０４及びＹ電極２０５は、放電セルごとに一対ずつ配されている。
【００１７】
前記Ｘ電極２０４は、パネル２００の各放電セルに独立的に配された第１透明電極２０６と、前記パネル２００のＸ方向に沿って隣接して配されている放電セルに沿って延び、前記第１透明電極２０６を電気的に接続する第１バス電極ライン２０７と、を備える。
【００１８】
前記Ｙ電極２０５は、パネル２００の各放電セルに独立的に配された第２透明電極２０８と、前記パネル２００のＸ方向に沿って隣接して配されている放電セルに沿って延び、前記第２透明電極２０８を電気的に接続する第２バス電極ライン２０９と、を備える。
【００１９】
このとき、前記第１透明電極２０６及び第２透明電極２０８は、横断面が四角形をなし、放電セルの中央で互いに接触せず、所定間隔ほど離隔されるように配されて放電ギャップをなしている。前記第１バス電極ライン２０７及び第２バス電極ライン２０９は、放電セルの対向する側の両エッジに配され、ストライプ状である。
【００２０】
前記第１透明電極２０６及び第２透明電極２０８は、ＩＴＯ膜のような透明導電膜からなり、前記第１バス電極ライン２０７及び第２バス電極ライン２０９は、導電性に優れた銀ペーストやクロム−銅−クロムのような金属材からなる。
【００２１】
前記Ｘ電極２０４及びＹ電極２０５は、第１誘電体層２１０に埋め込まれている。前記第１誘電体層２１０は、透明な誘電体、例えばＰｂＯ−Ｂ２Ｏ３−ＳｉＯ２のような高誘電性の素材を利用して塗布されている。
【００２２】
前記第１誘電体層２１０の表面には、２次電子放出量を増加させるために、酸化マグネシウム（ＭｇＯ）からなる保護膜層２１１が形成されている。前記保護膜層２１１は、第１誘電体層２１０の表面に蒸着されている。
【００２３】
前記第２基板２０２は、透明な基板、半透過性基板、反射性基板や着色された基板などを使用できる。前記第２基板２０２の内表面には、前記Ｙ電極２０５と交差する方向にアドレス電極２１２が配されている。
【００２４】
前記アドレス電極２１２は、パネル２００のＹ方向に沿って隣接して配されている放電セルを横切って延びており、ストライプ状である。前記アドレス電極２１２は、第２誘電体層２１３に埋め込まれている。前記第２誘電体層２１３は、第１誘電体層２１０のような高誘電性の素材からなっている。
【００２５】
前記第１基板２０１と第２基板２０２との間には、隔壁２１４が配されている。前記隔壁２１４は、放電セルを限定し、隣接した放電セル間のクロストークを防止するために形成されている。
【００２６】
前記隔壁２１４は、パネル２００のＸ方向に沿って配された第１隔壁２１５と、前記パネル２００のＹ方向に沿って配された第２隔壁２１６と、を備え、格子形の放電空間を区画している。
【００２７】
前記隔壁２１４は、前述した実施形態に限定されず、放電セルを限定できる構造ならば、いずれか一つに限定されるものではなく、これによる放電セルの横断面図も、四角形だけでなく、形状が異なる多角形、円形や楕円形など多様な実施形態が存在しうる。
【００２８】
一方、前記第１基板２０１、第２基板２０２及び隔壁２１４で区画された放電空間には、Ｎｅ−ＸｅやＨｅ−Ｘｅのような放電ガスが注入されている。
また、放電セル内には、放電ガスから発生した紫外線により励起されて可視光を放出するカラー化のための複数の色相で発光する蛍光体層２１７が形成されている。前記蛍光体層２１７は、放電セルのいかなる領域にもコーティングされ、本実施形態の場合、第２誘電体層２０２の上部及び隔壁２１４の内側壁に形成されている。
【００２９】
このとき、前記蛍光体層２１７は、赤色、緑色及び青色の蛍光体層からなるが、必ずしもこれらに限定されるものではない。本実施形態の場合、赤色の蛍光体層は、（Ｙ，Ｇｄ）ＢＯ３；Ｅｕ＋３からなり、緑色の蛍光体層は、Ｚｎ２ＳｉＯ４：Ｍｎ２＋からなり、青色の蛍光体層は、ＢａＭｇＡｌ１０Ｏ１７：Ｅｕ２＋からなる。
【００３０】
図３は、図２のプラズマディスプレイパネル２００、信号伝達部３０５及び駆動回路ボード３０９が整列された状態を示す図面である。
図３に示すように、前記プラズマディスプレイパネル２００は、第１基板２０１と第２基板２０２とが重なる領域である表示領域３０１と、前記表示領域３０１のエッジ領域である非表示領域３０２とに区画される。前記表示領域３０１と非表示領域３０２との境界部には、フリットガラス３０３が塗布されている。
【００３１】
前記表示領域３０１は、前述したように第１基板２０１と第２基板２０２との内面に複数の放電電極、誘電体層、隔壁や蛍光体層のようなそれぞれの機能層が多様なパターンで設計可能な領域を備えたものであって、放電時に画像を具現する領域である。前記非表示領域３０２は、表示領域３０１に配された放電電極から延びた端子３０４が引き出される領域を備えており、信号伝達部３０５と電気的に接続する領域である。
【００３２】
前記プラズマディスプレイパネル２００の大型化によって、非表示領域３０２に配された複数の端子３０４に対して複数の信号伝達部３０５を利用して接続するために、前記端子３０４は、多数のグループにグルーピング化させて各グループ別に個別的な信号伝達部３０５と連結している。
【００３３】
前記信号伝達部３０５は、両端がそれぞれ電極端子３０４と駆動回路ボード３０９のコネクタ３１０とに連結されて相互間の電気的信号を伝達可能であり、多様な形状の構造が可能である。
本実施形態の場合、前記信号伝達部３０５は、複数の駆動ＩＣ３０６と、前記駆動ＩＣ３０６に連結されるようにパターン化されたリード３０７と、前記電極端子３０４やコネクタ３１０に対してリード３０７が接続される部分を除いて、前記リード３０７を全体的にカバーする柔軟性を有するフィルム３０８と、を備える。
【００３４】
前記リード３０７の一端部に形成された第１端子部３０７ａは、電極端子３０４と電気的に接続され、他端部に形成された第２端子部３０７ｂは、コネクタ３１０に電気的に接続されている。
【００３５】
ここで、前記電極端子３０４は、異なる平面上に配され、前記リード３０７は、前記電極端子３０４と電気的に接続されるように対応した位置に配されている。
図４は、本発明の一実施形態による放電電極４０２，４０４と信号伝達部４５０とが配された状態を示す平面図であり、図５は、図４の分離斜視図である。
【００３６】
このとき、前記放電電極は、アドレス放電を行うアドレス電極である。しかし、前記放電電極は、維持放電を行うＸ電極とＹ電極とを備えた放電維持電極対を備えるなどプラズマディスプレイパネルの基板内に配された電極パターンならば、いずれか一つに限定されるものではない。
【００３７】
図４及び図５に示すように、基板４０１上には、複数の放電電極４０２，４０４が配されている。前記複数の放電電極４０２，４０４は、複数の誘電体層４０３，４０５に埋め込まれている。このとき、前記複数の放電電極４０２，４０４は、前記複数の誘電体層４０３，４０５により複層構造に分離されている。
【００３８】
すなわち、前記基板４０１の表面には、第１放電電極４０２が配されている。前記第１放電電極４０２は、基板４０１の一方向に沿ってストライプ状に配されている。前記第１放電電極４０２は、第１誘電体層４０３に埋め込まれている。このとき、前記第１放電電極４０２の電極端子４０２ａは、第１誘電体層４０３に埋め込まれず、所定長さ露出されている。
【００３９】
前記第１誘電体層４０３の表面には、第２放電電極４０４が配されている。前記第２放電電極４０４は、前記第１放電電極４０２と実質的に同じ形状であり、前記基板４０１の一方向に沿ってストライプ状に配されている。前記第２放電電極４０４は、第２誘電体層４０５に埋め込まれている。このとき、前記第２放電電極４０４の電極端子４０４ａは、第２誘電体層４０５に埋め込まれず、所定長さ露出されている。
【００４０】
また、前記第１放電電極４０２と第２放電電極４０４とは交互に配されている。すなわち、前記第１放電電極４０２は、奇数列に配されており、前記第２放電電極４０４は、偶数列に配されている。
【００４１】
さらに、前記第１放電電極４０２と第２放電電極４０４とは、異なる長さを有している。すなわち、前記第１放電電極４０２の長さは、前記第２放電電極４０４の長さより相対的に長い。また、前記第１放電電極端子４０２ａと第２放電電極端子４０４ａとが外部に露出される領域を形成するために、前記第１誘電体層４０３の幅は、前記第２誘電体層４０５の幅より相対的に広く形成されている。
【００４２】
このように、前記第１放電電極４０２は、基板４０１の表面と第１誘電体層４０３との間で第１放電電極端子４０２ａが露出された状態で第１誘電体層４０３に埋め込まれており、前記第２放電電極４０４は、第１誘電体層４０３と第２誘電体層４０５との間で第２放電電極端子４０４ａが露出された状態で第２誘電体層４０５に埋め込まれている。
【００４３】
これにより、前記第１放電電極４０２及び第２放電電極４０４に対して信号伝達部４５０が連結されるための間隔は、奇数列ごとに配された第１放電電極４０２間の間隔ｄ１、または偶数列ごとに配された第２放電電極４０４間の間隔ｄ２である。かかる間隔は、隣接した第１放電電極４０２と第２放電電極４０４との間隔に比べて２倍に広がっている。
一方、前記第１放電電極４０２と第２放電電極４０４とは、信号伝達部４５０と電気的に接続されている。
【００４４】
前記信号伝達部４５０には、柔軟性を有するフィルム４５１が設けられている。前記フィルム４５１上には、複数の駆動ＩＣ４５２が実装されている。前記フィルム４５１内には、駆動ＩＣ４５２と連結されたリード（図示せず）が埋め込まれており、前記リード端子４５３，４５４は、外部に露出されている。前記複数のリード端子４５３，４５４は、フィルム４５１の両先端部に配列されて、放電電極の端子と駆動回路ボードのコネクタとに電気的に接続可能である。
【００４５】
このとき、前記放電電極４０２，４０４と電気的に接続されるリード端子４５３は、前記第１放電電極４０２と第２放電電極４０４とに対応するフィルム４５１の領域で互いに異なって位置して形成されている。
すなわち、前記リード端子４５３は、奇数列に配された第１放電電極端子４０２ａと電気的に接続するための第１リード端子４５５と、偶数列に配された第２放電電極端子４０４ａと電気的に接続するための第２リード端子４５６と、を備える。
【００４６】
このとき、前記第１放電電極端子４０２ａが第２放電電極端子４０４ａに比べて基板４０１のエッジに隣接して配されているので、前記第１リード端子４５５がフィルム４５１の先端部から配列される間隔ｄ３は、前記第２リード端子４５６がフィルム４５１の先端部から配列される間隔ｄ４より相対的に遠い。
【００４７】
前記のような構造を有する放電電極４０２，４０４に対して信号伝達部４５０と結合される過程を説明すれば、次の通りである。
まず、前記基板４０１上に奇数列に配列される第１放電電極４０２をパターン化させる。前記第１放電電極４０２がパターン化された後、前記第１放電電極端子４０２ａの部分を除いた第１放電電極４０２が形成された基板４０１の全体領域を第１誘電体層４０３に埋め込む。
【００４８】
次いで、前記第１誘電体層４０３の表面に偶数列に配列される第２放電電極４０４をパターン化させる。このとき、前記第２放電電極４０４の長さは、前記第１放電電極４０２の長さより相対的に短く形成する。
【００４９】
前記第２放電電極４０４がパターン化された後、第２放電電極端子４０４ａを除いた第２放電電極４０４を第２誘電体層４０５に埋め込む。このとき、前記第２誘電体層４０５の全体幅は、前記第１誘電体層４０４の全体幅より相対的に狭く形成させる。
前記のような方式により、前記第１放電電極４０２と第２放電電極４０４とは、異なる平面上において複層構造の配列が完了する。
【００５０】
次いで、前記基板４０１上に信号伝達部４５０を整列する。このとき、前記第１放電電極端子４０２ａと第２放電電極端子４０４ａとは、第１リード端子４５５と第２リード端子４５６とが互いに対応するように整列する。
次いで、前記第１放電電極端子４０２ａと第２放電電極端子４０４ａとに対して第１リード端子４５５と第２リード端子４５６とを所望の位置で連結させるために、フィルム４５１上に形成された整列マーク部４５７と、基板４０１上に形成された認識部（図示せず）とを互いに重ねてその位置を定める。
【００５１】
前記のような過程を通じて、第１放電電極端子４０２ａと第２放電電極端子４０４ａとに対して第１リード端子４５５と第２リード端子４５６との位置を定めれば、前記第１放電電極端子４０２ａと第１リード端子４５５との間、及び第２放電電極端子４０４ａと第２リード端子４５６との間にＡＣＦのような異方性導電性フィルム（図示せず）を介在させた状態で熱融着により互いに電気的に接続させる。
【００５２】
本発明は、図面に示した実施形態を参考にして説明されたが、これは、例示的なものに過ぎず、当業者ならば、これから多様な変形及び均等な他の実施形態が可能であるという点を理解できるであろう。したがって、本発明の真の技術的保護範囲は、特許請求の範囲の技術的思想により決まらねばならない。
【産業上の利用可能性】
【００５３】
本発明は、ディスプレイ関連の技術分野に適用可能である。
【図面の簡単な説明】
【００５４】
【図１】従来の放電電極と信号伝達部とが整列された状態を示す平面図である。
【図２】本発明の一実施形態によるプラズマディスプレイパネルの分離斜視図である。
【図３】図２のパネル、信号伝達部及び駆動回路部が整列された状態を示す概略図である。
【図４】本発明の一実施形態による放電電極と信号伝達部とが整列された状態を示す平面図である。
【図５】図４の分離斜視図である。
【符号の説明】
【００５５】
２００    プラズマディスプレイパネル
２０１    第１基板
２０２    第２基板
２０３    維持放電電極対
２０４    Ｘ電極
２０５    Ｙ電極
２０６    第１透明電極
２０７    第１バス電極ライン
２０８    第２透明電極
２０９    第２バス電極ライン
２１０    第１誘電体層
２１１    保護膜層
２１２    アドレス電極
２１３    第２誘電体層
２１４    隔壁
２１５    第１隔壁
２１６    第２隔壁
２１７    蛍光体層
【図１】
2009021210.tif 000003
【図２】
2009021210.tif 000004
【図３】
2009021210.tif 000005
【図４】
2009021210.tif 000006
【図５】
2009021210.tif 000007